(57)【要約】  【課題】  栽培設備において、植物の生長促進に炭酸ガスボンベ内の炭酸ガスを利用する方式を採用すると、炭酸ガスボンベの費用は高価であり且つ炭酸ガスは生長促進ガスとして大量に消費されるため、ランニングコストが嵩むという問題を解消する。  【解決手段】  本発明の植物促成装置は、換気ファン１２及びフィルタ部材１３を有する酸素調節手段１１と、計時用のタイマー１４と、当該タイマー１４の制御情報に基づいて換気ファン１２の作動を制御するコントローラ１５とを備える。フィルタ部材１３は中空糸分離膜からなり、換気ファン１２の換気通路１７を塞ぐように配置される。日中は、換気ファン１２の駆動により、温室１内からフィルタ部材１３を介して酸素富化空気を温室外に放出する。夜間は、換気ファン１２の駆動により、温室１外からフィルタ部材１３を介して酸素富化空気を温室内に供給する。【選択図】  図３
2006166846.tif 000002
【特許請求の範囲】
【請求項１】
果実、野菜又は花卉等の植物が栽培される温室等の栽培設備において、
空気を酸素富化空気と窒素富化空気とに分離するガス分離モジュールを用いて前記栽培設備内の空気の酸素濃度を調節する酸素調節手段と、現在の時間帯を判別する時間帯判別手段と、当該時間帯判別手段の制御情報に基づいて前記酸素調節手段の作動を制御する制御手段とを備えたことを特徴とする栽培設備の植物促成装置。
【請求項２】
前記酸素調節手段は、前記ガス分離モジュールと前記栽培設備内の換気を行う換気ファンとを備え、当該換気ファンのうち前記栽培設備内外に連通する換気通路を塞ぐように、前記ガス分離モジュールが配置されていることを特徴とする請求項１に記載した栽培設備の植物促成装置。
【請求項３】
前記ガス分離モジュールは平板状のフィルタ部材であることを特徴とする請求項２に記載した栽培設備の植物促成装置。
【発明の詳細な説明】
【技術分野】
【０００１】
本発明は、果実、野菜又は花卉等の植物が栽培される温室等の栽培設備において、前記栽培設備内の空気の酸素濃度を調節することにより、前記植物の生長を促進させる植物促成装置に関するものである。
【背景技術】
【０００２】
従来から、この種の栽培設備においては、炭酸ガス（ＣＯ2 ）入りの炭酸ガスボンベを栽培設備内又は外に設置し、この炭酸ガスボンベからレギュレータを介して所定量の炭酸ガスを栽培設備内に供給することにより、栽培設備内の植物の光合成を人工的に促進させて、その生長を促すことが行われている（例えば特許文献１等参照）。
【特許文献１】特開平７−２７４７２４号公報（段落０００５等参照）
【発明の開示】
【発明が解決しようとする課題】
【０００３】
しかし、前記従来のように、植物の生長促進に炭酸ガスボンベ内の炭酸ガスを利用する方式を採用すると、その設備や施工は簡単であるものの、炭酸ガスボンベの費用は高価であり且つ炭酸ガスは生長促進ガスとして大量に消費されるため、ランニングコストが嵩むという問題があった。
【０００４】
そこで、本発明は、このような問題を解消した栽培設備の植物促成装置を提供することを技術的課題とするものである。
【課題を解決するための手段】
【０００５】
この技術的課題を解決するため、請求項１の発明に係る植物促成装置は、果実、野菜又は花卉等の植物が栽培される温室等の栽培設備において、空気を酸素富化空気と窒素富化空気とに分離するガス分離モジュールを用いて前記栽培設備内の空気の酸素濃度を調節する酸素調節手段と、現在の時間帯を判別する時間帯判別手段と、当該時間帯判別手段の制御情報に基づいて前記酸素調節手段の作動を制御する制御手段とを備えたというものである。
【０００６】
請求項２の発明は、請求項１に記載した栽培設備の植物促成装置において、前記酸素調節手段は、前記ガス分離モジュールと前記栽培設備内の換気を行う換気ファンとを備え、当該換気ファンのうち前記栽培設備内外に連通する換気通路を塞ぐように、前記ガス分離モジュールが配置されているというものである。
【０００７】
請求項３の発明は、請求項２に記載した栽培設備の植物促成装置において、前記ガス分離モジュールは平板状のフィルタ部材であるというものである。
【発明の効果】
【０００８】
請求項１のように構成すると、植物が主に光合成を行う日中の時間帯には、酸素調節手段の作動により、栽培設備内からガス分離モジュールを介して酸素富化空気が前記栽培設備外に放出されるから、前記栽培設備内の空気の酸素濃度は低下する。そうすると、前記栽培設備内の空気の二酸化炭素濃度は相対的に上昇することになるから、日中の時間帯は、前記栽培設備内に別途炭酸ガスを供給したりしなくても、前記栽培設備内の植物の光合成を人工的に促進させることができる。
【０００９】
一方、植物が呼吸を行う夜間の時間帯には、前記酸素調節手段の作動により、前記栽培設備外から前記ガス分離モジュールを介して酸素富化空気が前記栽培設備内に供給されるから、温室１内の空気の酸素濃度は上昇することになる。従って、夜間の時間帯は、前記栽培設備内の植物の呼吸を人工的に促進させることができる。
【００１０】
以上のことから、請求項１の発明によると、前記栽培設備内の空気の酸素濃度を時間帯に応じて調節することにより、前記栽培設備内の植物の光合成作用はもとより呼吸作用をも促進させることができるから、前記栽培設備内の空気を植物にとって常に良好な状態に維持することができ、植物の生長促進に高い効果を発揮するという効果を奏する。
【００１１】
また、日中の時間帯には、前記栽培設備内に炭酸ガスを別途供給したりする必要がないから、炭酸ガスボンベ等の購入費用が発生せず、ランニングコストを格段に低減することができるという効果も奏する。
【００１２】
請求項２のように構成すると、前記酸素調節手段のうち前記ガス分離モジュールに空気を送り込む手段として、汎用品である（市販されている）換気ファンを使用することができるから、前記栽培設備への取り付け（施工）や維持管理も簡単に行える。従って、コストを安くすることができ、非常に経済的であるという効果を奏する。
【００１３】
請求項３の発明によると、前記ガス分離モジュールとして平板状のフィルタ部材を採用しているので、前記換気ファンの換気通路を塞ぐように前記フィルタ部材を配置した状態で前記換気ファンを駆動させることにより、簡単な構成でありながら、前記栽培設備内の空気又は外気を酸素富化空気と窒素富化空気とに効率よく分離することができるという効果を奏する。
【発明を実施するための最良の形態】
【００１４】
次に、本発明を具体化した実施形態を、栽培設備の一例である温室に適用した場合の図面（図１〜図７）に基づいて説明する。
【００１５】
図１〜図４は本発明の第１実施形態である。図１は第１実施形態における温室の概略斜視図、図２は換気ファンの正面図、図３は換気ファンの縦側断面図、図４は制御手段の一例としてのコントローラの機能ブロック図である。
【００１６】
栽培設備の一例である温室１は、多数本の支柱とフレームとにより骨組みが構成されている。温室１の側壁に形成された複数の開口部には、酸素調節手段１１の構成要素の一例として、温室１内の換気を行うための換気ファン１２が設けられている。また、側壁における複数の開口部には、側窓２や出入り用の扉３も開閉可能に取り付けられている。温室１内の天井側には、白色灯や水銀灯等の照明具（図示せず）が複数個配置されている。
【００１７】
詳細は図示していないが、温室１の側壁又は温室１と別の箇所には、各種操作用のスイッチ類、液晶ディスプレイ等の表示部２８（図４参照）及び制御手段の一例であるコントローラ１５（図４参照）等を有する制御盤が配置されている。
【００１８】
第１実施形態の植物促成装置は、前述の換気ファン１２及びガス分離モジュールの一例であるフィルタ部材１３を有する酸素調節手段１１と、現在の時間帯を判別する時間帯判別手段の一例である計時用のタイマー１４と、当該タイマー１４の制御情報に基づいて換気ファン１２の作動を制御するコントローラ１５とを備えている。
【００１９】
図２及び図３に示すように、換気ファン１２は、温室１における屋根（又は側壁等）の各開口部に嵌め込み装着された中空筒型のケーシング１６と、ケーシング１６のうち温室１内外に連通する換気通路１７内に配置された回転フィン１９付きの主軸１８と、当該主軸１８を正逆回転駆動させるための駆動モータ２０と、主軸１８及び駆動モータ２０を支持する支持ステー２１とを備えている。
【００２０】
第１実施形態では、駆動モータ２０を駆動させて回転フィン１９付きの主軸１８を正逆回転させることにより、温室１内の空気を外部に放出したり温室１内に外気を導入したりするように構成されている。
【００２１】
換気通路１７のうち温室１内に向かう内向き開口１７ａの周囲には、当該内向き開口１７ａを囲うように化粧枠２２が設けられている。この化粧枠２２の内径側には、目の粗い網状体と当該網状体の周囲を囲う枠状体とからなるカバー部材２３が着脱可能に嵌め込まれている。
【００２２】
換気通路１７のうち温室１外に向かう外向き開口１７ｂ寄りの箇所には、換気通路１７を塞ぐように、ガス分離モジュールの一例としての平板状のフィルタ部材１３が着脱可能に取り付けられている。第１実施形態のフィルタ部材１３は、例えばポリイミド、酢酸セルロース、ポリスルフォン又はポリアミド等の高分子材料製の中空糸分離膜からなるものである。フィルタ部材１３は、中空糸分離膜における酸素ガス（Ｏ2 ）及び窒素ガス（Ｎ2 ）の透過速度の差を利用して、空気を酸素濃度の高い酸素富化空気と窒素濃度の高い窒素富化空気とに分離することができる。換言すると、フィルタ部材１３は、酸素ガスを選択的（優先的）に透過することができる。
【００２３】
計時用のタイマー１４は、温室１の側壁又は温室１と別の箇所に配置された制御盤（図示せず）内のコントローラ１５に内蔵されている。
【００２４】
詳細は図示していないが、制御盤（図示せず）内のコントローラ１５は、各種演算処理や制御を実行する中央処理装置（ＣＰＵ）の他、制御プログラムやデータを記憶させるための読み出し専用メモリ（ＲＯＭ）、制御プログラムやデータを一時的に記憶させるための随時読み書き可能メモリ（ＲＡＭ）、前述したタイマー１４、センサやアクチュエータ等との間で制御情報のやり取りをするための入出力インターフェイス等を備えている。
【００２５】
コントローラ１５の入力インターフェイスには、例えば植物促成装置全体の電源を入り切り操作するメインスイッチ２５や、各換気ファン１２の切替え作動の時間帯を予め設定するための時間設定器２６等が接続されている。時間設定器２６は、例えば日の出頃から日の入り頃までという日中の時間帯を設定時間帯として予め設定するためのものである。特に、植物の光合成が活発に行われる時間帯を設定時間帯とするのが好ましい。
【００２６】
他方、出力インターフェイスには、各換気ファン１２における駆動モータ２０のモータ駆動回路２７や、液晶ディスプレイ等の表示部２８等がそれぞれ接続されている（図４参照）。
【００２７】
以上の構成において、タイマー１４で計時（カウント）している計測時間が時間設定器２６で予め設定された設定時間帯内であるとコントローラ１５が判断した場合には、この時間帯は植物が主に光合成を行う日中の時間帯であるから、コントローラ１５からの指令で、各モータ駆動回路２７を介してこれに対応する駆動モータ２０を駆動させて、温室１内の空気を外部に放出する方向に回転フィン１９付きの主軸１８を回転させる。
【００２８】
そうすると、換気通路１７のうちフィルタ部材１３を挟んで上流側の空間が局所的に加圧され、フィルタ部材１３を挟んだ上流側と下流側との間に圧力差が生ずるので、この圧力差を利用して、酸素ガスが優先的にフィルタ部材１３を通過する。その結果、温室１内からは、酸素富化空気が各換気ファン１２で強制的に外部に放出される。
【００２９】
このように酸素富化空気を温室１内から外部に放出すると、温室１内の空気の酸素濃度は低下するから、温室１内に別途炭酸ガスを供給したりしなくても、温室１内の空気の二酸化炭素（ＣＯ2 ）濃度は相対的に上昇することになる。これにより、日中の時間帯は、温室１内の植物の光合成を人工的に促進させることができる。
【００３０】
また、温室１内に別途炭酸ガスを供給する必要がないから、炭酸ガスボンベ等の購入費用が発生せず、ランニングコストを格段に低減することができる。
【００３１】
一方、タイマー１４による計測時間が設定時間帯外であるとコントローラ１５が判断した場合には、この時間帯は植物が呼吸を行う夜間の時間帯であるから、コントローラ１５からの指令で、各モータ駆動回路２７を介してこれに対応する駆動モータ２０を駆動させて、外気を温室１内に導入する方向に回転フィン１９付きの主軸１８を回転させる。
【００３２】
そうすると、換気通路１７のうちフィルタ部材１３を挟んで下流側の空間が局所的に減圧され、フィルタ部材１３を挟んだ上流側と下流側との間に圧力差が生ずるので、この圧力差を利用して、酸素ガスが優先的にフィルタ部材１３を通過する。その結果、温室１の外からは、酸素富化空気が各換気ファン１２で強制的に温室１内に導入される。
【００３３】
このように酸素富化空気を外部から温室１内に導入すると、温室１内の空気の酸素濃度は上昇することになるから、夜間の時間帯は、温室１内の植物の呼吸を人工的に促進させることができる。
【００３４】
以上のことから、第１実施形態の植物促成装置によると、温室１内の空気の酸素濃度を時間帯に応じて調節することにより、温室１内の植物の光合成作用はもとより呼吸作用をも促進させることができるから、温室１内の空気（雰囲気）を植物にとって常に良好な状態に維持することができ、植物の生長促進に高い効果を発揮するのである。
【００３５】
その上、時間帯（日中か夜間か）に応じて換気ファン１２の送風方向をコントローラ１５で自動的に切り替えることができるから、無人の自動運転（自動制御）を実現することができ、作業者の負担を軽減することもできる。
【００３６】
また、第１実施形態では、酸素調節手段１１のうちフィルタ部材１３に空気を送り込む手段として、温室１内の換気を行う換気ファン１２を採用している。当該換気ファン１２は汎用品（市販されているもの）で構わない。そうすると、温室１への取り付け（施工）や維持管理も簡単に行えるから、コストを安くすることができ、非常に経済的である。
【００３７】
第１実施形態のガス分離モジュールは、中空糸分離膜からなる平板状のフィルタ部材であるから、換気ファン１２の換気通路１７を塞ぐようにフィルタ部材１３を配置した状態で換気ファン１２を駆動させることにより、簡単な構成でありながら、温室１内の空気又は外気を酸素富化空気と窒素富化空気とに効率よく分離することができる。
【００３８】
しかも、フィルタ部材１３が換気ファン１２に対して着脱可能に取り付けられているので、例えば長期間の使用等でフィルタ部材１３の透過性能が低下した場合に、フィルタ部材１３を簡単に交換することができる。
【００３９】
なお、例えば日の入り頃から日の出頃までという夜間の時間帯を設定時間帯として、夜間の時間帯を基準に、換気ファン１２の送風方向を切り替えるように制御してもよい。また、吸引用ファンと排出用ファンとを１組として、前述の換気ファン１２の役割を担わせるように構成しても差し支えない。さらに、ガス分離モジュールとしての分離膜は、中空糸タイプのものに限らず、例えばシリコーン系の非多孔質膜や無機材料系の多孔質膜等であってもよい。要は、空気を酸素富化空気と窒素富化空気とに分離し得るものであればよい。
【００４０】
図５〜図７は酸素調節手段の別例を示す第２実施形態である。図５は第２実施形態における温室の概略斜視図、図６は酸素調節手段の概略斜視図、図７は酸素調節手段のブロック図である。
【００４１】
第２実施形態の酸素調節手段３１は、温室１の外側壁又は温室と別の箇所に配置された収容ボックス３０に内蔵されている（図５参照）。当該酸素調節手段３１は、少なくとも外気を圧縮するエアコンプレッサ３２と、エアフィルタ３３と、ドライヤー３４と、中空糸分離膜からなるガス分離モジュール３５と、減圧弁３６と、エアコンプレッサ３２からの排気を屋外に放出するための排気ダクト３７とを備えている。
【００４２】
エアコンプレッサ３２で高圧に圧縮された空気は、エアコンプレッサ３２内のバッファタンク（図示せず）に一時的に貯蔵され、次いで、エアフィルタ３３を通過させることにより圧縮空気中の水分が除去される。それから、オイルミストフィルタ３８を通過させて圧縮空気中の塵が取り除かれる。圧縮空気中から除去された水分及び塵はドレン３９に溜まることになる。
【００４３】
なお、エアコンプレッサ３２の運転で生じた排気及び排熱は、排気ダクト３７を介して強制的且つ速やかに屋外に排出される。第２実施形態では、エアフィルタ３３の出口とオイルミストフィルタ３８の出口との間の圧力差を差圧計４０で計測することにより、圧力低下によるオイルミストフィルタ３８の目詰まりを検知して、オイルミストフィルタ３８の交換時期を確認することができる。
【００４４】
オイルミストフィルタ３８の下流側に位置するガス分離モジュール３５に水分を含んだ空気が供給されると、中空糸分離膜の膜面に水分が凝縮して、酸素ガス及び窒素ガスの透過性能を低下させるおそれがある。そこで、第２実施形態では、万全を期すため、エアフィルタ３３及びオイルミストフィルタ３８を通過した圧縮空気を、ガス分離モジュール３５に送る前にドライヤー３４で乾燥させている。そして、ドライヤー３４を経由した乾燥圧縮空気がレギュレータ４１を介してガス分離モジュール３５に送られる。
【００４５】
ガス分離モジュール３５を構成する中空糸分離膜は、第１実施形態と同様に、例えばポリイミド、酢酸セルロース、ポリスルフォン又はポリアミド等の高分子材料製のものである。従って、第２実施形態のガス分離モジュール３５も、中空糸分離膜における酸素ガス及び窒素ガスの透過速度の差を利用して、乾燥圧縮空気を酸素富化空気と窒素富化空気とに分離することができる。
【００４６】
ガス分離モジュール３５における一方の出口に接続された窒素富化空気管４２は、減圧弁３６及び圧力計４３を経由して、可変式の第１三方制御弁４４の流入口に接続されている。第１三方制御弁４４の一方の流出口に接続された供給管４５は、温室１の側壁等に形成された導入口４６に連通している。他方の流出口に接続された排出管４７は、エアコンプレッサ３２の排気ダクト３７に連通している。
【００４７】
なお、減圧弁３６及び圧力計４３は、ガス分離モジュール３５での窒素富化空気や酸素富化空気の発生量を調節すると共に、下流側（温室１側や排気ダクト３７側）への各富化空気の圧力を減圧し且つ供給量を調節するためのものである。
【００４８】
ガス分離モジュール３５における他方の出口に接続された酸素富化空気管４８は、可変式の第２三方制御弁４９を介して、酸素富化空気供給管５０と酸素富化空気排出管５１とに分岐して延びている。酸素富化空気供給管５０は、供給管４５の中途部に連通接続されている。酸素富化空気排出管５１は排出管４７の中途部に連通接続されている。
【００４９】
第２実施形態では、後述する光センサ６３（図７参照）の検出値に基づいて、両方の三方制御弁４４，４９の開閉状態を電磁ソレノイド等の制御弁駆動回路６４，６５で変更することにより、酸素富化空気及び窒素富化空気の送り方向を、互いに行き違うように温室１内と屋外とに自動的に切り替える構成となっている。
【００５０】
温室１の側壁等に形成された排気口５２に接続された空気回収管５３は、エアコンプレッサ３２よりも上流側に位置する第３三方制御弁５４の一方の流入口に連通接続されている。第３三方制御弁５４の他方の流入口に接続された入口管５５は、外気に連通している。第３三方制御弁５４の流出口に接続された空気導入管５６は、エアコンプレッサ３２に接続されている。
【００５１】
また、後述する光センサ６３の検出値に基づいて、第３三方制御弁５４の開閉状態を電磁ソレノイド等の第３制御弁駆動回路６６で変更することにより、エアコンプレッサ３２に外気を導入するか温室１内の空気を導入するかを自動的に切り替えるように構成されている。
【００５２】
なお、ガス分離モジュール３５で分離生成された酸素富化空気及び窒素富化空気は完全な乾燥状態であるから、例えば供給管４５のうち酸素富化空気供給管５０との接続部と導入口４６との間等の箇所に、酸素富化空気や窒素富化空気に適当な湿気を付与するための加湿手段を設けたりしてもよい。
【００５３】
エアコンプレッサ３２の側方に立設された支柱５９には制御ボックス６０が固定されている。この制御ボックス６０には、制御手段の一例としてのコントローラ６１が内蔵されている。コントローラ６１は、各種演算処理や制御を実行する中央処理装置（ＣＰＵ）の他、制御プログラムやデータを記憶させるための読み出し専用メモリ（ＲＯＭ）、制御プログラムやデータを一時的に記憶させるための随時読み書き可能メモリ（ＲＡＭ）、センサやアクチュエータ等との間で制御情報のやり取りをするための入出力インターフェイス等を備えている。
【００５４】
コントローラ６１の入力インターフェイスには、例えば酸素調節手段３１全体の電源を入り切り操作する電源スイッチ６２や、温室１外の周囲の明るさを感知する光電効果型等の光センサ６３等がそれぞれ接続されている。この光センサ６３は特許請求の範囲に記載した時間帯判別手段に相当するものである。第２実施形態の光センサ６３は、例えば温室１の屋根等の適宜箇所に配置されている。他方、出力インターフェイスには、電磁ソレノイド等からなる第１〜第３制御弁駆動回路６４，６５，６６や、エアコンプレッサ３２がそれぞれ接続されている。その他の構成は第１実施形態と同様である。
【００５５】
次に、酸素調節手段３１の作動態様の一例について説明する。ここで、後述する設定照度のデータは、コントローラ６１のＲＯＭ等に記憶させる等して予め設定しておく。この設定照度は、現在の時間帯（日中か夜間か）を判断するための基準として設定されるものである。
【００５６】
光センサ３５で検出された計測照度が予め設定された設定照度以上であるとコントローラ６１が判断した場合には、現在の時間帯が日中の時間帯であるから、コントローラ６１から第３制御弁駆動回路６６への指令により、第３三方制御弁５４のうち入口管５５側の流入口を閉じ、空気回収管５３側の流入口と空気導入管５６側の流出口とを開く。
【００５７】
このとき、コントローラ６１からの指令で、第１三方制御弁４４のうち排出管４７側の流出口を閉じ、窒素富化空気管４２側の流入口と供給管４５側の流出口とを開く。また、第２三方制御弁４９のうち酸素富化空気供給管５０側の流出口を閉じ、酸素富化空気管４８側の流入口と酸素富化空気排出管５１側の流出口とを開く。そして、エアコンプレッサ３２を駆動させる。
【００５８】
そうすると、温室１内の空気が、排気口５２から空気回収管５３、空気導入管５３を経てエアコンプレッサ３２に供給される。この空気は、エアコンプレッサ３２やドライヤー３４等を通じて圧縮乾燥され、ガス分離モジュール３５で酸素富化空気と窒素富化空気とに分離される。
【００５９】
酸素富化空気は、酸素富化空気管４８、排出管４７及び排気ダクト３７を経由して、強制的に屋外に放出される。窒素富化空気は、窒素富化空気管４２及び供給管４５を通って導入口４６から温室１内に戻される。すなわち、日中の時間帯は、ガス分離モジュール３５を利用して、温室１内の空気を酸素付加空気と窒素付加空気とに分離し、温室１内に窒素富化空気を残しつつ、酸素富化空気のみを屋外に放出するのである。
【００６０】
このように酸素富化空気を温室１内から外部に放出すると、温室１内の空気の酸素濃度は低下するから、温室１内に別途炭酸ガスを供給したりしなくても、温室１内の空気の二酸化炭素（ＣＯ2 ）濃度は相対的に上昇する。従って、日中の時間帯は、第１実施形態と同様に、温室１内の植物の光合成を人工的に促進させることができる。また、温室１内に別途炭酸ガスを供給する必要がないから、ランニングコストの低減にも効果が大きい。
【００６１】
一方、光センサ３５による計測照度が設定照度未満であるとコントローラ６１が判断した場合には、現在の時間帯が夜間の時間帯であるから、コントローラ６１からの指令により、第３三方制御弁５４のうち空気回収管５３側の流入口を閉止し、入口管５５側の流入口を開放する。このとき、第１三方制御弁４４では、供給管４５側の流出口を閉止し、排出管４７側の流出口を開放する。また、第２三方制御弁４９では、酸素富化空気排出管５１側の流出口を閉じ、酸素富化空気供給管５０側の流出口を開く。次いで、エアコンプレッサ３２を駆動させる。
【００６２】
そうすると、入口管５５から空気導入管５６を経てエアコンプレッサ３２に供給された外気が、エアコンプレッサ３２やドライヤー３４等を通じて圧縮乾燥され、ガス分離モジュール３５で酸素富化空気と窒素富化空気とに分離される。
【００６３】
酸素富化空気は、酸素富化空気管４８、酸素富化空気供給管５０及び供給管４５を通って、導入口４６から温室１内に供給される。窒素富化空気は、窒素富化空気管４２、排出管４７及び排気ダクト３７を経由して、強制的に屋外に放出される。すなわち、夜間の時間帯は、ガス分離モジュール３５を利用して、外気を酸素付加空気と窒素付加空気とに分離し、温室１内から窒素富化空気を追い出しつつ、酸素富化空気を温室１内に供給するのである。
【００６４】
このように酸素富化空気を外部から温室１内に導入すると、温室１内の空気の酸素濃度は上昇することになるから、夜間の時間帯は、温室１内の植物の呼吸を人工的に促進させることができる。
【００６５】
以上のことから、第２実施形態の植物促成装置によると、温室１内の空気の酸素濃度を時間帯に応じて調節することにより、第１実施形態と同様に、植物の生長促進に高い効果を発揮するのである。
【００６６】
また、第２実施形態の植物促成装置であれば、ガス分離モジュール３５の大型化が簡単に行えるので、このような植物促成装置を大規模な栽培設備に適用すれば、栽培設備内の空気を植物にとって常に良好な状態に維持することができ、植物の生長促進に十分な効果を発揮することができるのである。
【００６７】
本発明は、前述の実施形態に限らず、様々な態様に具体化することができる。例えばガス分離モジュールは、空気を酸素富化空気と窒素富化空気とに分離し得るものであればよく、分離膜を利用したもの以外に、圧力スイング吸着法（ＰＳＡ法）や深冷分離法等を利用したものであっても差し支えない。
【００６８】
その他、各部の構成は図示の実施形態に限定されるものではなく、本発明の趣旨を逸脱しない範囲で種々変更が可能である。
【図面の簡単な説明】
【００６９】
【図１】第１実施形態における温室の概略斜視図である。
【図２】換気ファンの正面図である。
【図３】換気ファンの縦側断面図である。
【図４】制御手段の一例としてのコントローラの機能ブロック図である。
【図５】第２実施形態における温室の概略斜視図である。
【図６】酸素調節手段の概略斜視図である。
【図７】酸素調節手段のブロック図である。
【符号の説明】
【００７０】
１  栽培設備の一例としての温室
１１，３１  酸素調節手段
１２  換気ファン
１３  フィルタ部材
１４  時間帯判別手段の一例としてのタイマー
１５，６１  制御手段の一例としてのコントローラ
１６  ケーシング
１７  換気通路
１８  主軸
１９  回転フィン
２０  駆動モータ
２６  時間設定器
２７  モータ駆動回路
３２  エアコンプレッサ
３５  ガス分離モジュール
３６  減圧弁
４２  窒素富化空気管
４５  供給管
４６  導入口
４７  排出管
４８  酸素富化空気管
５０  酸素富化空気供給管
５１  酸素富化空気排出管
５２  排気口
５３  空気回収管
６３  時間帯判別手段の一例としての光センサ
【図１】
2006166846.tif 000003
【図２】
2006166846.tif 000004
【図３】
2006166846.tif 000005
【図４】
2006166846.tif 000006
【図５】
2006166846.tif 000007
【図６】
2006166846.tif 000008
【図７】
2006166846.tif 000009